(57)【要約】【課題】水密性を確保することができる雨水貯留浸透装置用の管接続部構造を得る。【解決手段】雨水貯留浸透装置１０は、接続部材２６の差込部２８に流入管１８等の管が差し込まれており、流入管１８等の管を通して遮水シート１６の内外へ雨水が流動する。ここで、接続部材２６のフランジ部３０の外向き面には、遮水シート１６が差込部２０の回りに全周に亘って融着されているので、雨水が流動する場合にも水密性を確保することができる。【選択図】図１
2007332680.tif 000002
【特許請求の範囲】
【請求項１】
雨水貯留浸透槽を覆う遮水シートと、
管の差込みが可能であって、前記遮水シートの内側に通じた差込部と、
前記差込部と一体とされ、前記差込部から径方向外側へ延びて前記遮水シートが前記差込部の回りに全周に亘って接着されたフランジ部と、
を有することを特徴とする雨水貯留浸透装置用の管接続部構造。
【請求項２】
前記フランジ部に前記遮水シートが前記差込部の回りに全周に亘って融着されたことを特徴とする請求項１記載の雨水貯留浸透装置用の管接続部構造。
【請求項３】
前記フランジ部には、前記差込部の回りに全周に亘って突起部が形成され、前記遮水シートが前記突起部に融着されたことを特徴とする請求項２記載の雨水貯留浸透装置用の管接続部構造。
【発明の詳細な説明】
【技術分野】
【０００１】
本発明は、雨水を貯留等させるために用いられる雨水貯留浸透装置用の管接続部構造に関する。
【背景技術】
【０００２】
雨水貯留浸透装置においては、雨水流入管等の管が雨水貯留浸透槽を包む遮水シート内に挿入された装置が知られている（例えば、特許文献１参照）。このような装置では、管挿入部の周囲を遮水シートで包んでＳＵＳバンド等で締め込んだ状態としている。
【０００３】
この従来の管接続部構造では、管挿入部と遮水シートとの間に隙間が生じやすく、水密性が低い。
【特許文献１】特開２００４−５２２４３公報
【発明の開示】
【発明が解決しようとする課題】
【０００４】
本発明は、上記事実を考慮して、水密性を確保することができる雨水貯留浸透装置用の管接続部構造を提供することを課題とする。
【課題を解決するための手段】
【０００５】
請求項１に記載する本発明の雨水貯留浸透装置用の管接続部構造は、雨水貯留浸透槽を覆う遮水シートと、管の差込みが可能であって、前記遮水シートの内側に通じた差込部と、前記差込部と一体とされ、前記差込部から径方向外側へ延びて前記遮水シートが前記差込部の回りに全周に亘って接着されたフランジ部と、を有することを特徴とする。
【０００６】
雨水貯留浸透槽とは、少なくとも雨水を貯留又は地中に浸透させる槽をいい、具体的には、雨水を貯留する貯留槽、雨水を一次的に貯留した後に徐々に地中に浸透させる浸透槽、及び、貯留槽の機能と浸透槽の機能とを併せ持つ貯留浸透槽のすべてを含む（以下の記載において同じ）。
【０００７】
請求項１に記載する本発明の雨水貯留浸透装置用の管接続部構造によれば、差込部に管が差し込まれた場合、管を通して遮水シートの内外へ雨水が流動する。ここで、フランジ部には、遮水シートが差込部の回りに全周に亘って接着されているので、雨水が流動する場合にも水密性を確保することができる。
【０００８】
請求項２に記載する本発明の雨水貯留浸透装置用の管接続部構造は、請求項１記載の構成において、前記フランジ部に前記遮水シートが前記差込部の回りに全周に亘って融着されたことを特徴とする。
【０００９】
請求項２に記載する本発明の雨水貯留浸透装置用の管接続部構造によれば、フランジ部には、遮水シートが前記差込部の回りに全周に亘って融着されているので、水密性を長期間確保することができる。
【００１０】
請求項３に記載する本発明の雨水貯留浸透装置用の管接続部構造は、請求項２記載の構成において、前記フランジ部には、前記差込部の回りに全周に亘って突起部が形成され、前記遮水シートが前記突起部に融着されたことを特徴とする。
【００１１】
請求項３に記載する本発明の雨水貯留浸透装置用の管接続部構造によれば、フランジ部の突起部には、遮水シートが差込部の回りに全周に亘って融着されているので、水密性を長期間確保することができる。また、環状の突起部が形成されることで、融着作業時には、遮水シート及びフランジ部に対して容易に全周を加圧できるので、融着作業が容易になる。
【発明の効果】
【００１２】
以上説明したように、本発明の雨水貯留浸透装置用の管接続部構造によれば、水密性を確保することができるという優れた効果を有する。
【発明を実施するための最良の形態】
【００１３】
本発明における雨水貯留浸透装置用の管接続部構造の実施形態を図面に基づき説明する。
【００１４】
図１に示されるように、雨水貯留浸透装置１０は、地中Ｇに埋設される装置であり、この雨水貯留浸透装置１０は、雨水貯留浸透槽１２を備える。雨水貯留浸透槽１２は、本実施形態では、複数個の構成部材１２Ａが互いに隣り合って並設されると共に上下方向に積み重ねられた組立体とされている。
【００１５】
雨水貯留浸透槽１２の周囲（上下及び側方）は、不織布を備えた保護マット１４を介して遮水シート１６によって覆われており、この遮水シート１６は、さらに不織布を備えた保護マット１５によって周囲（上下及び側方）を覆われている。
【００１６】
遮水シート１６は、樹脂、ゴム又は熱可塑性エラストマー等の水を透過しない材料から形成されている。ここで、適用可能な樹脂の具体例としては、ポリエチレン、ポリプロピレン等のポリオレフィン系樹脂、ポリエステル系樹脂、エチレン−酢酸ビニル（ＥＶＡ）系樹脂等が挙げられる。また、適用可能なゴムの具体例としては、ＥＰＤＭ、ブチルゴム等のゴムが挙げられる。さらに、適用可能な熱可塑性エラストマー（ＴＰＥ）の具体例としては、オレフィン系エラストマー、ウレタン系エラストマー等が挙げられる。遮水シート１６の材料は、施工現場で後述する熱融着可能なものが好ましい。また、遮水シート１６は、耐候性に優れて種々の環境条件下で長期間使用できると共に破れにくい材料で構成されることが好ましい。
【００１７】
雨水貯留浸透槽１２の側面上部へ向けては、遮水シート１６を貫通する流入管１８及びオーバーフロー管２０が配置される。流入管１８は、雨水の集水用とされ、流入管１８による雨水流通路の中間部が沈砂桝２２に接続されている。沈砂桝２２は、（初期流入雨水のような汚濁の程度が大きい雨水を含む）雨水中の砂等を沈殿させるための沈砂用とされ、沈殿した砂等を攪拌しない機能を備えている。これにより、雨水貯留浸透槽１２へ流入する雨水は、砂をほとんど含まない状態となる。また、オーバーフロー管２０は、雨水貯留浸透槽１２が満水に近い状態になった場合に、雨水を雨水貯留浸透槽１２の上部から放流するための放流用とされている。
【００１８】
雨水貯留浸透槽１２の側面下部へ向けては、遮水シート１６を貫通する流出管２４が配置されている。流出管２４は、雨水貯留浸透槽１２に貯留された雨水を徐々に流出させるための流出用とされている。
【００１９】
流入管１８、オーバーフロー管２０及び流出管２４は、円筒状とされ、例えば、ポリエチレン管（ＰＥ管）等が適用されており、その外径（直径）は、例えば、１５０ｍｍ〜４５０ｍｍとなっている。流入管１８、オーバーフロー管２０及び流出管２４は、雨水貯留浸透槽１２寄りの部分が接続部材２６に接続される。
【００２０】
図２には、本実施形態における雨水貯留浸透装置用の管接続部構造２５が示されている。図２に示される接続部材２６は、射出成形により遮水シート１６と同じ材料（材質）で成形されており、円筒状の差込部２８を備えている。差込部２８は、遮水シート１６の貫通孔１６Ａを貫通しており、管（図１に示される流入管１８、オーバーフロー管２０及び流出管２４（以下、「流入管１８等」という。））の差込みが可能であって、遮水シート１６の内側（雨水貯留浸透槽１２（図１参照）側）に通じている。図２に示される差込部２８の内径は、差し込まれる流入管１８等の管の規格径である外径とほぼ同様の径（厳密には、ごく僅かに小さい径）となっている。差込部２８と差し込まれる流入管１８等の管との隙間はシーリング剤等によって適宜防水処理が行なわれる。
【００２１】
また、差込部２８に流入管１８等の管が差し込まれた状態（ジョイント状態）では、ジョイント部分における流入管１８等の管及び差込部２８の外側から、一対の締付具３２が取り付けられる。これらの締付具３２のフランジ状の端部３２Ａには、通し孔３２Ｂが貫通形成されている。締付具３２の端部３２Ａ同士が重ね合わされた状態で、この通し孔３２Ｂにボルト３４が通されると共にボルト３４の端にナット３６が嵌められることで、締付具３２の端部３２Ａが締め付けられる。これによって、一対の締付具３２が差込部２８及び流入管１８等の管を両外側から押さえ込んで締め付ける。
【００２２】
図２に示されるように、接続部材２６は、フランジ部３０を備えており、このフランジ部３０は、差込部２８と一体とされ、差込部２８から径方向外側へ（差込部２８の軸方向と直交してかつ差込部２８の軸心から放射状に延びる方向へ）延びている。このフランジ部３０には、差込部２８側となる外向き面３０Ａに、差込部２８の基端部２８Ａの回りに全周に亘る環状の突起部３０Ｂ（図３参照）が形成されており、フランジ部３０の（突起部３０Ｂを含む）外向き面３０Ａには、遮水シート１６が差込部２８の回りに全周に亘って融着されている。この融着により、接続部材２６のフランジ部３０と遮水シート１６とは、一体化された状態となっている。
【００２３】
ここで、施工現場におけるフランジ部３０と遮水シート１６との融着作業について、簡単に説明する。まず、図１に示される接続部材２６のフランジ部３０の一部を雨水貯留浸透槽１２に仮止めする。このとき、フランジ部３０は、保護マット１４の一部を突き抜けることになる。次に、図２に示される遮水シート１６の貫通孔１６Ａに接続部材２６の差込部２８を通してフランジ部３０の外向き面３０Ａに遮水シート１６を重ね合わせる。この状態で、フランジ部３０と遮水シート１６との重なり部に熱風を吹き付け、熱風が吹き付けられた部分を順次加圧ローラ（図示省略）で加圧して融着する。
【００２４】
加圧ローラによる加圧時に、遮水シート１６とフランジ部３０とは、雨水貯留浸透槽１２（図１参照）側に押し付けられることになる。また、環状の突起部３０Ｂが形成されることで、図３に示される突起部３０Ｂに重ねられた遮水シート１６に対する圧力を大きくすることができるので、遮水シート１６が突起部３０Ｂに確実に融着され、その結果として、フランジ部３０における差込部２８の回りの全周が確実に融着される。
【００２５】
融着前の状態におけるフランジ部３０は、略矩形板状とされ（図２参照）、その板厚が遮水シート１６の厚さよりも厚く、その硬さも遮水シート１６に比べて硬くなっている。これにより、加圧ローラによる加圧作業がしやすくなる。遮水シート１６の厚さは、強度及び融着作業性を考慮して本実施形態では、０．５ｍｍ〜１０ｍｍ程度とされている。
【００２６】
また、図２に示されるフランジ部３０における差込部２８からの延出寸法、すなわち、遮水シート１６との重ね代となる部分の寸法（重なり幅）は、最短部分でも３００ｍｍ程度を確保することが好ましい。このように、フランジ部３０の重なり幅を３００ｍｍ以上確保するのは、融着時に遮水シート１６が１００ｍｍ程度縮む可能性があり、また、設置状態では、温度の高低差により、遮水シート１６が２００ｍｍ弱縮む可能性があるためである。
【００２７】
次に、上記の実施形態の作用を説明する。
【００２８】
図１に示される流入管１８に流れ込んだ雨水は、沈砂桝２２で雨水中の砂等を除かれた状態で雨水貯留浸透槽１２内へ流れ込む。雨水貯留浸透槽１２が満水に近い状態になった場合には、雨水貯留浸透槽１２内の雨水は、オーバーフロー管２０を通って河川等に放流される。また、雨水貯留浸透槽１２に貯留された雨水を徐々に流出させる場合には、流出管２４から雨水を流出させる。
【００２９】
このように、雨水は、流入管１８等の管を通して遮水シート１６の内外へ流動する。ここで、流入管１８等の管の遮水シート１６への挿入部分において、接続部材２６のフランジ部３０には、遮水シート１６が差込部２８の回りに全周に亘って融着されているので、雨水が流動する場合にも雨水は漏れず、水密性を長期間確保することができる。
【００３０】
なお、上記実施形態では、遮水シート１６を融着するために、遮水シート１６に熱風を吹き付け、熱風が吹き付けられた部分を順次加圧ローラで加圧しているが、例えば、電熱コテを遮水シート１６に押し付けて融着してもよい。
【００３１】
また、上記実施形態では、接続部材２６のフランジ部３０には、遮水シート１６が差込部２８の回りに全周に亘って融着されているが、フランジ部には、遮水シートが差込部の回りに全周に亘って溶剤溶着又は接着剤によって接着されてもよい。
【００３２】
さらに、上記実施形態では、接続部材２６のフランジ部３０には、略矩形板状とされているが、略リング状等のような他の形状であってもよい。
【００３３】
さらにまた、上記実施形態では、フランジ部３０における差込部２８の回りの全周に亘る環状の突起部３０Ｂが１個形成されているが、フランジ部３０における差込部２８の回りの全周に亘る環状の突起部３０Ｂは、（例えば、同心円状に）複数個形成されてもよい。
【００３４】
なお、上記実施形態では、図１に示されるように、雨水貯留浸透槽１２が全周囲を遮水シート１６上によって覆われた構成において、雨水貯留浸透装置用の管接続部構造が適用された場合について説明したが、例えば、雨水貯留浸透槽の下部が遮水シート１６上によって覆われて貯留機能を果たすと共に、上部が透水シートによって覆われて浸透機能を果たす構成において、遮水シートによって覆われた部分に対応して雨水貯留浸透装置用の管接続部構造を適用してもよい。
【図面の簡単な説明】
【００３５】
【図１】本発明の実施形態に係る雨水貯留浸透装置用の管接続部構造が適用される雨水貯留浸透装置を示す概略構成図である。
【図２】本発明の実施形態に係る雨水貯留浸透装置用の管接続部構造を示す斜視図である。
【図３】本発明の実施形態に係る雨水貯留浸透装置用の管接続部構造を示す断面図である。
【符号の説明】
【００３６】
１０    雨水貯留浸透槽
１６    遮水シート
１８    流入管（管）
２０    オーバーフロー管（管）
２４    流出管（管）
２５    雨水貯留浸透装置用の管接続部構造
２８    差込部
３０    フランジ部
３０Ｂ  突起部
【図１】
2007332680.tif 000003
【図２】
2007332680.tif 000004
【図３】
2007332680.tif 000005